(57)【要約】【課題】車両の下部が見え難い車両であってもリフトのリフト受け部に車両のリフティングポイントを容易にセット出来て作業効率を向上し、車両の落下や車両の損傷を引き起こすことを防止する車両整備用リフト装置を提供する。【解決手段】車両の下面を支承して該車両をリフトアップするリフト２、３に、該車両の下面を照明する照明手段７を近設し、該照明手段７は、前記リフト２、３に連結したカバー体４A、４B、５A、５Bの上面に形成した凹部７Aの底面に取り付けた照明灯７Bと、該照明灯７Bの上方で前記凹部７Aの両側の上縁部に係止した半透明板７Cと、該半透明板７Cの上方で前記両側の上縁部に係止した保護板７Dとからなる。【選択図】図２
2020040597.tif 000002
【特許請求の範囲】
【請求項１】
車両の下面を支承して該車両をリフトアップするリフトに、該車両の下面を照明する照明手段を近設した車両整備用リフト装置。
【請求項２】
前記照明手段は、前記リフトに連結したカバー体の上面に形成した凹部の底面に取り付けた照明灯と、該照明灯の上方で前記凹部の両側の上縁部に係止した半透明板と、該半透明板の上方で前記両側の上縁部に係止した保護板とからなる請求項１に記載の車両整備用リフト装置。
【請求項３】
前記照明手段は、照度調節手段又は照射方向調節手段を具備する請求項１又は請求項２に記載の車両整備用リフト装置。
【請求項４】
前記照明手段は、前記車両が前記リフトの個所に存することを検知する検知手段を具備する請求項１又は請求項２又は請求項３に記載の車両整備用リフト装置。
【発明の詳細な説明】
【技術分野】
【０００１】
本発明は、自動車整備工場等において点検整備の作業を行い易くする車両整備用リフト装置に関する。
【背景技術】
【０００２】
従来この種の車両整備用リフト装置として、床面に形成したピット内に固定リフトと移動リフトとを有すると共に該移動リフトと共に移動しながら前記ピットの開口部を塞ぐピットカバーを有する装置において、前記ピットカバーは、多数の横長の蓋単体を順次連絡して各連結部において屈折可能な帯状のピットカバーに形成し、前記ピットカバーの両端部の下面に係合するピットカバー用レールを前記ピットの上部開口部に沿って前記ピット内に横設するようにしたものが知られている（特許文献１参照）。
【先行技術文献】
【特許文献】
【０００３】
【特許文献１】特開２００５−１３８６９８号公報
【発明の概要】
【発明が解決しようとする課題】
【０００４】
近年の車両は、安全や環境を考慮し、巻き込み防止や騒音対策として車両の床面が低くなり、車両の下部が見え難くなってきている。このような車両を、この従来の車両整備用リフト装置によりリフトアップするときに、車両の下部が見え難いので、車両のリフティングポイントにリフトのリフト受け部をセットすることが困難であり、又、ハンディライト等を用いて車両の下部を照らしてセット作業するようにしても、ハンディライト等を取り廻す必要があり、作業効率が悪く、リフトアップ時に車両のリフティングポイントがリフトのリフト受け部から外れ、車両の落下や車両の損傷を引き起こす問題点があった。
【０００５】
本発明は、このような問題点を解消し、車両の下部が見え難い車両であってもリフトのリフト受け部に車両のリフティングポイントを容易にセット出来て作業効率を向上し、車両の落下や車両の損傷を引き起こすことを防止する車両整備用リフト装置を提供することを目的とする。
【課題を解決するための手段】
【０００６】
本発明はこの目的を達成すべく、車両の下面を支承して該車両をリフトアップするリフトに、該車両の下面を照明する照明手段を近設した。
【発明の効果】
【０００７】
本発明によれば、車両の下部が見え難い車両であってもリフトのリフト受け部に車両のリフティングポイントを容易にセット出来て作業効率を向上し、車両の落下や車両の損傷を引き起こすことを防止する車両整備用リフト装置を提供する。
【図面の簡単な説明】
【０００８】
【図１】本発明の実施例１の要部の平面図である。
【図２】図１のII−II線切断面図である。
【図３】リフト装置の全体の断面図である。
【図４】照明手段の制御系のブロック線図である。
【発明を実施するための形態】
【０００９】
本発明を実施するための形態の実施例を以下に示す。
【実施例１】
【００１０】
本発明の車両整備用リフト装置の実施例１を図面により説明する。
【００１１】
図１は本発明の実施例１の要部の平面図、図２は図１のII−II線切断面図、図３はリフト装置の全体の断面図、図４は照明手段の制御系のブロック線図である。
【００１２】
１は車両の整備工場の床面に形成されピット、２は該ピット１の前方端部に固定された固定リフト、３は該ピット１内を長手方向に移動可能な移動リフトを示し、該移動リフト３は、前記ピット１の上部開口部の両側部に沿って溝状に横設された移動リフト用レールに車輪を係合させて、図示していない走行駆動装置により自力走行可能に形成されている。
【００１３】
４A、４Bは前記固定リフト２の前後に連結した固定カバー体、５A、５Bは前記移動リフト３の前後に連結した移動カバー体を示す。
【００１４】
６はピットカバーを示し、該ピットカバー６は、蓋単体をを帯状に連結して形成され、前記ピット１内の上部開口部の両側縁部に沿って該ピット１内に横設したピットカバー用レールに前記蓋単体の両側部の下面を係合させて前記ピットカバー６の端部を前記移動カバー体５A、５Bに連結し、前記移動リフト３の移動に伴って前記ピットカバー用レール上を摺動しながら移動するようにした。尚、前記ピットカバー６の他方の端部は前記ピット１の端部において垂れ下がって収納するようになっている。
【００１５】
７は照明手段を示し、該照明手段７は、前記固定カバー体４A、４B及び前記移動カバー体５A、５Bのそれぞれの上面に形成した凹部７Aの底面に取り付けた例えばLEDからなる照明灯７Bと、該照明灯７Bの上方に位置し該凹部７Aの両側の上縁に形成の段部間に係止した例えば塩ビ板の如き半透明板７Cと、該半透明板７Cの真上で両端部が前記段部に係止し例えばグレーチングのような多数の透光部を有する保護板７Dとからなる。尚、該保護板７Dは、該保護板７D上に重量物が乗っても前記照明灯７Bを保護するために設けられている。又、周辺部において前記半透明板７Cと前記保護板７Dとの間に該半透明板７Cを保護する金属板７Eを介在した。
【００１６】
図４において、８は制御手段、９は照度調節手段、１０は照射方向調節手段、１１は車両の検知手段を示し、前記制御手段８は前記照度調節手段９と前記照射方向調節手段１０と前記検知手段１１からの信号を入力して前記各照明灯７Bにそれぞれの制御信号を出力するようにした。
【００１７】
次に、上記実施例１の車両整備用リフト装置の作用と効果について説明する。
【００１８】
整備工場の点検整備のリフトの個所に車両、即ち、自動車Aを図３に示すように進入させると、前記検知手段１１が自動車がリフトの個所にあることを検知し、該検知手段１１からの信号を入力した前記制御手段８は出力信号を前記照明灯７Bに出力して全ての照明灯７Bを点灯し前記自動車Aの下面を照らす。
【００１９】
このように自動車の下面が照らされているので、自動車Aの下部が見え難くても固定リフト２及び移動リフト３のリフト受け部に自動車Aのリフティングポイントを容易にセット出来る。このとき照明灯７BのLED光源が直接に発光しても前記半透明板７Cにより眩しさがなくなりセット作業効率が向上する。尚、このセット作業を更に容易にするために、前記照度調節手段９を操作し前記制御手段８を介して前記照明灯７Bの照度を調節したり、或いは、前記照射方向調節手段１０を操作し前記制御手段８を介して前記照明灯７Bの照射方向を調節するようにしてもよい。この場合、前記照明灯７Bは照射方向が調節可能なように回動可能に前記底面に枢着されている。
【００２０】
そして、前記自動車Aをリフトアップして該自動車Aの底面の機器を点検整備するときも、前記照明灯７Bにより該底面の構造体が照らされているので作業がやりやすく作業効率が向上する。
【００２１】
このようにして一連の点検整備が終了した後にリフトを下げて前記自動車Aをリフトの個所から退出すると、前記検知手段１１からの信号が出力されなくなり前記照明灯７Bが消灯する。
【００２２】
尚、前記実施例ではピット１に固定リフト２と移動リフト３を設けた例を示したが、２柱式リフト等の他のリフトにおいても、照明手段をリフトに近設するようにしてもよい。
【産業上の利用可能性】
【００２３】
本発明は、自動車の製造又は点検整備において車両のリフトアップや点検整備作業を効率的に行うのに利用される。
【符号の説明】
【００２４】
２      固定リフト  
３      移動リフト
４A     固定カバー体
４B     固定カバー体
５A     移動カバー体
５B     移動カバー体
７      照明手段  
７A     凹部
７B     照明灯
７C     半透明板
７D     保護板
９      照度調節手段
１０      照射方向調節手段
１１      検出手段
【図１】
2020040597.tif 000003
【図２】
2020040597.tif 000004
【図３】
2020040597.tif 000005
【図４】
2020040597.tif 000006